(57)【特許請求の範囲】
【請求項１】
電源に接続される給電部と、
前記給電部から非接触で電力の供給を受け得る受電部と医療器具を保持する保持部とを備えた本体部と、
前記受電部に接続され、当該受電部を介して前記給電部から供給される電力によって駆動されることで前記保持部に保持される前記医療器具の衛生状態を維持する衛生維持手段と、
前記本体部を移動自在とするための移動手段と、
を具備し、
前記給電部は、前記電源に接続される１次コイルであり、
前記受電部は、前記１次コイルに電磁結合される２次コイルであり、
前記本体部は、前記給電部に対する前記受電部の接近を検知する検知手段と、この検知手段による検知結果に応じて前記１次コイルと前記２次コイルとを電磁結合させる制御手段とを、具備してなることを特徴とする医療器具保管装置。
【請求項２】
前記受電部は、充電可能な２次電池を備えていることを特徴とする請求項１に記載の医療器具保管装置。
【請求項３】
前記衛生維持手段は、前記医療器具の除湿をおこなう除湿手段であることを特徴とする請求項１に記載の医療器具保管装置。
【請求項４】
前記衛生維持手段は、前記医療器具を殺菌する殺菌手段であることを特徴とする請求項１に記載の医療器具保管装置。
【発明の詳細な説明】
【技術分野】
【０００１】
本発明は、医療器具保管装置、詳しくは医療器具の保管及び運搬をおこなう医療器具保管装置であって、特に格納した器具の衛生状態を維持するのに必要となる電力の供給を容易におこない得るように構成した医療器具保管装置に関するものである。
【背景技術】
【０００２】
従来より、例えば内視鏡検査等によって使用された後の使用済みの内視鏡等の各種の医療器具は、所定の手順にしたがって洗滌消毒処理が施された後、所定の環境下に保管されるようになっている。
【０００３】
具体的には、例えば検査等に使用した内視鏡等の医療器具は、まず流し台等まで運び出され、ここで外表面等が仮洗滌された後、洗滌消毒装置へと運び込まれ、当該装置によって本洗滌がおこなわれる。
【０００４】
こうして洗滌消毒処理が施された内視鏡等の医療器具は、衛生的な環境が維持されるように構成した医療器具用の保管装置の内部に収納されて、次の検査等で使用される時まで保管されることになる。この保管装置については、特に内視鏡等では専用の保管装置が利用されるのが普通である。
【０００５】
また、従来においては、内視鏡検査等の終了後に使用済みの内視鏡等の医療器具の洗滌消毒処理を施す場合、検査室等から流し台等の仮洗滌をおこなう場所までの間や、流し台等から本洗滌がおこなわれる洗滌消毒装置までの間、さらに洗滌消毒処理の後、洗滌消毒装置から保管装置までの間を運搬するのには、作業者が医療器具を手に持って運搬することになっている。またさらに、保管装置に保管中の医療器具を次の検査に使用するため、保管装置から取り出して検査室まで運搬するときにも、従来では、作業者等が医療器具を手に持って運搬している。
【０００６】
この場合、洗滌済みの医療器具を保管装置に格納するまでの間と、保管装置から医療器具を取り出して検査をおこなう場所までの間においては、特に衛生面での注意しつつ運搬する必要がある。
【０００７】
また、従来の医療器具用の保管装置では、殺菌用の紫外線を発する水銀灯等を設置したものがある。この殺菌用の水銀灯等は、紫外線を発光することで保管装置内部に収納保管されている医療器具の衛生状態を維持するようになっている。
【０００８】
このような保管装置では、殺菌用の水銀灯等を発光させるために、所定の電力が必要となるが、その電力は例えば一般的な商用電源から得るようになっているのが普通である。
【０００９】
そのために、従来の医療器具保管装置からは電源ケーブルが延出されており、その電源ケーブルのプラグが、当該保管装置を設置する部屋の壁面等に設けられるコンセントに接続されることで保管装置に対して電力が供給されるようになっている。
【００１０】
例えば、特開平１０−２６２９０２号公報によって開示されている内視鏡用の保管装置は、光源装置やプロセッサ装置等を載せるカート本体の側面に取り付けられるように構成している。この保管装置は、内部に内視鏡を吊り下げて保管し得るようになっていると共に、内部に殺菌灯を配設することで、保管装置の内部の衛生状態を良好に維持することができるようになっている。
【特許文献１】特開平１０−２６２９０２号公報
【発明の開示】
【発明が解決しようとする課題】
【００１１】
ところが、上記特開平１０−２６２９０２号公報等によって開示されている従来の医療器具用の保管装置にあっては、例えば水銀灯を発光するための電源部や電力を供給するための電源ケーブル等を必要とする。そして、保管装置を含むカート本体を移動させるような場合には、電源ケーブルの着脱作業が伴うことになる。
【００１２】
一方、医療器具の衛生状態を維持するためには、その使用者等は、医療器具以外のものに触れないようにするのが望ましい。特に、電源ケーブルは床面を引き回されることが多いことから、このような電源ケーブルを扱うのに際して使用者等は、手袋を交換する等の措置が必要となっていた。
【００１３】
このように、従来の医療器具保管装置を移動させるのに際しては、これに保管される医療器具の衛生管理が非常に面倒な作業を伴う場合があった。
【００１４】
本発明は、上述した点に鑑みてなされたものであって、その目的とするところは、医療器具の衛生状態を適切にかつ容易に管理し得ると同時に、容易に移動させることを可能とした医療器具保管装置を提供することである。
【課題を解決するための手段】
【００１５】
上記目的を達成するために、本発明の一態様による医療器具保管装置は、電源に接続される給電部と、前記給電部から非接触で電力の供給を受け得る受電部と医療器具を保持する保持部とを備えた本体部と、前記受電部に接続され、当該受電部を介して前記給電部から供給される電力によって駆動されることで前記保持部に保持される前記医療器具の衛生状態を維持する衛生維持手段と、前記本体部を移動自在とするための移動手段と、を具備し、前記給電部は、前記電源に接続される１次コイルであり、前記受電部は、前記１次コイルに電磁結合される２次コイルであり、前記本体部は、前記給電部に対する前記受電部の接近を検知する検知手段と、この検知手段による検知結果に応じて前記１次コイルと前記２次コイルとを電磁結合させる制御手段とを、具備してなることを特徴とする。
【発明の効果】
【００１６】
本発明によれば、医療器具の衛生状態を適切にかつ容易に管理し得ると同時に、容易に移動させることを可能とした医療器具保管装置を提供することができる。
【発明を実施するための最良の形態】
【００１７】
以下、図示の実施の形態によって本発明を説明する。
【００１８】
図１は、本発明の一実施形態の医療器具保管装置（トロリーシステム）の全体構成を示す外観斜視図である。図２は、図１の医療器具保管装置（トロリーシステム）の内部構成の主に電気的な構成を示すブロック構成図である。図３は、図１の医療器具保管装置（トロリーシステム）の作用を説明する図である。
【００１９】
図１，図２に示すように、本実施形態の医療器具保管装置（以下、トロリーシステムという）１は、内視鏡や手術用処置具等の医療器具を収納し保持し得るように形成された複数のトレイ２と、このトレイ２を着脱自在に配設し得るように構成され本トロリーシステム１の本体部となるトロリー装置３と、壁などに設けられ電源に接続される給電部である第１の給電部４等によって主に構成されている。
【００２０】
第１の給電部４は、図２に示すようにトロリーシステム１に対して電力の供給をおこなうべく設けられるものである。そのために、第１の給電部４は、商用電源を整流し平滑化して直流を出力する整流平滑回路４３と、この整流平滑回路４３からの直流出力を高周波信号に変換して出力する第１の高周波インバータ４４と、この第１の高周波インバータ４４に接続され第１の２次コイル５０に電磁結合される１次コイルである第１の１次コイル４２と、第１のマグネット５１の磁力を受けて第１の受電部１４と第１の給電部４との電磁結合が可能な状態であること（つまり第１の給電部４に対する第１の受電部１４が接近したこと）を検知する検知手段の一部である第１の接続検知回路４５と、電磁結合の状態を常時監視し第１の高周波インバータ４４の出力制御をおこなう第１の制御回路４６等によって主に構成されている。
【００２１】
つまり、第１の制御回路４６は、第１の接続検知回路４５による検知結果に応じて第１の１次コイル４２と第１の２次コイル５０とを電磁結合させて第１の高周波インバータ４４の出力を許可したり、停止したりする制御をおこなう。
【００２２】
第１の給電部４は、例えば当該トロリーシステム１を使用する検査室や、保管する保管場所等の施設の壁面２５に、例えば恒久的に設置されている。この第１の給電部４には、トロリーシステム１に対して電力を供給するための所定の電源、例えば一般に利用される通常の商用電源に接続されている。
【００２３】
なお、第１の給電部４は、必ずしも壁面２５に対して恒久的に接続される必要はなく、移動可能な装置等、例えば別のトロリー装置等に設置してもよい。第１の給電部４の設置場所についても、壁面２５に限ることはなく、例えば検査室や保管場所等の施設の床面等に設置しても良い。また、第１の給電部４に接続される所定の電源としては、商用電源に限られることはなく、例えば２次電池などのＤＣ電源を利用することも可能である。
【００２４】
トロリー装置３は、トレイ２に収納される医療器具を衛生的に保管する保管庫としての機能を有している。そのためにトロリー装置３は、前面に開口部１０ａを有するトロリー本体１０と、開口部１０ａに対して開閉自在に配設される扉１１と、トロリー本体１０の底部に設けられ当該トロリー装置３を移動自在とするための移動手段である４つのキャスター１２と、衛生維持手段であり除湿手段である乾燥機１３と、上記第１の給電部４との間で非接触方式による電力の供給を受け得る受電部である第１の受電部１４と、後述するトレイ２の第２の受電部３４との間で非接触方式による電力供給をおこなう第２の給電部１５と、ラッピング補助機構等によって主に構成されている。
【００２５】
トロリー装置３のトロリー本体１０の背面側の所定の位置、つまり上記第１の給電部４に対向する位置には、第１の受電部１４が外部に向けて配設されている。この第１の受電部１４は、図２に示すように第１の給電部４の第１の１次コイル４２に電磁結合される２次コイルである第１の２次コイル５０と、この２次コイル５０からの高周波信号を受けて平滑化し安定化する第１の定電圧回路５２と、第１の定電圧回路５２からの定電圧出力を規定の電圧に変換するインバータ回路５３と、インバータ回路５３からの出力を負荷側である乾燥機１３と複数の第２の給電部１５へと出力する出力制御回路５５と、乾燥機１３などの負荷側に過電流が流れたときこれを検知して所定の制御をおこなう第１の保護回路５４と、この第１の保護回路５４の制御をおこなう出力制御回路５５と、トロリー装置３を移動させたときに第１の受電部１４が第１の給電部４の近傍に接近したことを検知する検知手段の一部を構成する第１のマグネット５１等によって構成される。
【００２６】
そして、トロリー装置３を移動させて第１の受電部１４を上述の第１の給電部４に対向する位置に配置したとえき、当該第１の受電部１４は第１の給電部４から非接触で電力の供給を受け得るようになっている。
【００２７】
つまり、トロリー装置３を第１の給電部４の近傍に移動させたとき、トロリー装置３の第１の受電部１４が第１の給電部４に対して所定の距離内に近付くと、第１の給電部４の側の第１の接続検知回路４５は、第１のマグネット５１を検知すると共に、第１の給電部４は第１の受電部１４に対して非接触方式による電力供給をおこなうようになっている。
【００２８】
トロリー装置３のトロリー本体１０の内部には、開口部１０ａに連通する収納空間１０ｂが形成されている。この開口部１０ａは扉１１によって開閉自在となっている。この扉１１を閉状態とすることで、収納空間１０ｂを外気から遮断し得るような構造となっている。
【００２９】
この収納空間１０ｂの内部において、その底面側には除湿手段である乾燥機１３が配設されている。この乾燥機１３は、収納空間１０ｂの内部の空気を除湿することで収納空間１０ｂ内における雑菌などの繁殖を防止しするために設けられているものである。後述するように収納空間１０ｂには、医療器具を収納するトレイ２を着脱自在に保持する収納ケース１６（保持部）が設けられている。つまり、除湿手段である乾燥機１３は、収納空間１０ｂ内の除湿をおこなうことで、トレイ２に収納される医療器具の衛生状態を維持する衛生維持手段の役目をしている。
【００３０】
なお、乾燥機１３の内部電気回路（図示せず）は、第１の受電部１４に対して電気的に接続され（図１の符号１３ａ）ている。これにより、当該第１の受電部１４を介して上記第１の給電部４から供給される電力によって駆動されるようになっている。
【００３１】
また、収納空間１０ｂの内部において、上記収納空間１０ｂの所定の空間には棚構造が形成されている。すなわち、収納空間１０ｂには、上記乾燥機１３が配設されている部位より上側の部位に、トレイ保持部となる複数の収納ケース１６（図１に示す例では三つ）が積層された形態で固設されている。各収納ケース１６は、前面側に開口を有して形成されている。この前面側の開口からトレイ２が挿入され、当該収納ケース１６に収納されるようになっている。これにより、トロリー装置３のトロリー本体１０の内部において、トレイ２が所定の位置に保持されるようになっている。つまり、トロリー本体１０の収納ケース１６は、トレイ２を保持することで医療器具を保持する保持部の役目をしている。
【００３２】
また、各収納ケース１６の内部にあって、開口に対向する面には、第２の給電部１５がそれぞれに配設されている。
【００３３】
この第２の給電部１５は、図２に示すように第１の給電部４及び第１の受電部１４を介して電源から供給される電力を非接触方式でトレイ２へと供給するために設けられるものである。そのために第２の給電部１５は、第１の受電部１４の出力制御回路５５からの出力を高周波信号に変換する第２の高周波インバータ５７と、この第２の高周波インバータ５７に接続されトレイ２の第２の２次コイル６１に電磁結合される第２の１次コイル５８と、トレイ２の第２のマグネット６２の磁力を受けて第２の給電部１５とトレイ２の第２の受電部３４との電磁結合が可能な状態であること（つまり第２の給電部１５に対するトレイ２（第２の受電部３４）が接近したこと）を検知する検知手段の一部である第２の接続検知回路５９と、電磁結合の状態を常時監視し第２の高周波インバータ５７の出力制御をおこなう第２の制御回路６０等によって主に構成されている。
【００３４】
つまり、第２の制御回路６０は、第２の接続検知回路５９による検知結果に応じて第２の１次コイル５８と第２の２次コイル６１とを電磁結合させて第２の高周波インバータ５７の出力を許可したり、停止したりする制御をおこなう。
【００３５】
そして、各トレイ２に対応させて設けられる各収納ケース１６のそれぞれに設けられる第２の給電部１５のそれぞれは、上述の第１の受電部１４に対して電気的に接続されている（図１の符号１４ａ）。
【００３６】
各収納ケース１６の前面側にあって、開口の周縁部近傍の所定の部位には、動作確認用の発光ダイオード（以下、ＬＥＤという）１７がそれぞれに配設されている。この動作確認ＬＥＤ１７は、上述の第１の受電部１４に対して電気的に接続されている（図１の符号１７ａ参照）。
【００３７】
トロリー装置３のトロリー本体１０の上面側にはトレイ載置部１８が形成されている。このトレイ載置部１８には、ラッピング収納部材２０と規制部材２１とからなるラッピング補助機構１９が配設されている。このラッピング補助機構１９は、トレイ載置部１８に載置されたトレイ２が幅方向に動くのを規制する規制手段として機能する略角柱形状の壁部からなるラッピング収納部材２０及び規制部材２１によって構成される。
【００３８】
ラッピング収納部材２０と規制部材２１とは、トロリー本体１０の前面側から背面側に向けて略平行となるように配置されている。また、ラッピング収納部材２０と規制部材２１との間隔はトレイ２の幅寸法と略同等となるように、もしくはトレイ２の幅寸法よりも若干長くなる間隔で配置されている。
【００３９】
ラッピング収納部材２０の内部には、ラッピング部材であるロール状のラッピングペーパー２２が収納されている。このラッピングペーパー２２としては、例えば吸水シートまたは埃防止シートなどが適用される。そして、ラッピング収納部材２０の上面側にはラッピングペーパー２２をシート状に引き出し得るように形成されるラッピング開口部２０ａが形成されている。一方、規制部材２１には、ラッピングペーパー２２をシート状にカットするための刃等（図示せず）が配設されている。
【００４０】
トロリー装置３のトロリー本体１０の底面部には、上述したように４つのキャスター１２が設けられている。このキャスター１２は、トロリー装置３を床面上において移動自在とするための移動手段として機能するものである。
【００４１】
トレイ２は、医療器具を保管するためにトロリー装置３の内部に配置されて使用されるものであると共に、トロリー装置３から取り外した状態で医療器具を運搬する際にも使用されるように構成されている。
【００４２】
そのために、トレイ２の外形形状は、例えば一面に開口部３２ａを有する略直方体からなるケース本体３１と、このケース本体３１によって形成される保持部としての収納部３２と、所定の情報等を表示する表示部３３と、上記第２の給電部１５との間で非接触方式による電力供給を受ける第２の受電部３４と、殺菌手段としての殺菌灯３５等によって主に構成されている。
【００４３】
ケース本体３１には、上面側に開口部３２ａを有する収納部３２が形成されている。この収納部３２には、所定の医療器具、例えば内視鏡８等を収納し得るようになっている。
【００４４】
また、収納部３２の内壁面には、当該トロリー装置３の内部やトレイ２の内部における雑菌などの繁殖を防止してトレイ２に収納される医療器具の衛生状態を維持する衛生維持手段である殺菌手段としての殺菌灯３５が複数設けられている。この殺菌灯３５は、例えば紫外線を発するＵＶ光源である水銀灯やＵＶ−ＬＥＤ等が適用される。
【００４５】
本実施形態では、図１に示すようにトレイ２の収納部３２の内壁面上において、複数の殺菌灯３５を所定の間隔を置いて配置している。しかしながら、殺菌灯３５の配置や個数については、図示の例に限定されるものではない。
【００４６】
また、トレイ２のケース本体３１の背面側の所定の位置には、第２の受電部３４が外部に向けて配設されている。この第２の受電部３４は、トレイ２をトロリー装置３の収納ケース１６に装着したとき、上記第２の給電部１５に対向する位置に配置されている。これにより、トレイ２を収納ケース１６内に装着する動作によって、第２の受電部３４が第２の給電部１５に対して所定の距離内に近付いたとき、第２の受電部３４には、第２の給電部１５から非接触方式による電力供給がおこなわれるようになっている。
【００４７】
そのために、第２の受電部３４は、その内部に第２の２次コイル６１と、検知手段の一部を構成する第２のマグネット６２と、平滑回路６３と、第２の定電圧回路６４と、ＬＥＤ駆動回路６５と、第２の保護回路６６と、受信コイル６７及びデータ受信回路６８と、データ復調回路６９と、例えばフラッシュメモリ等を搭載したメモリ回路７１と、情報管理のための制御をおこなうデータ用制御回路７０等を備えている。
【００４８】
第２の２次コイル６１は、第２の給電部１５の第２の１次コイル５８から電磁結合により伝達された高周波信号を受けて平滑回路６３に出力するものである。平滑回路６３は、第２の２次コイル６１の出力を平滑化するものである。
【００４９】
第２の定電圧回路６４は、平滑回路６３の出力を安定化するものである。この第２の定電圧回路６４は、その出力側にＬＥＤ駆動回路６５及び第２の保護回路６６などが接続されている。
【００５０】
第２の保護回路６６は、第２の定電圧回路６４の出力を基に接続されている負荷の状態を監視するものである。これにより、第２の保護回路６６は過負荷が加わった場合に回路を保護する機能を有している。
【００５１】
ＬＥＤ駆動回路６５は、第２の定電圧回路６４の出力を受けて、複数の殺菌灯３５を点灯させるようになっている。なお、ＬＥＤ駆動回路６５及び殺菌灯３５は、図１，図２に示す例の如くトレイ２の内部に設けてもよいし、トロリー装置３の収納ケース１６の内部に設けてもよい。
【００５２】
トレイ２は、防水構造を有して形成されユニットによって構成されているので、例えば洗滌消毒装置８０（図２参照）に設置することで、当該トレイ２を医療器具の洗滌消毒用トレイとして使用することができるようにもなっている。
【００５３】
この場合において、トレイ２は洗滌消毒装置８０との間で無線によるデータ通信をおこなうことで、洗滌消毒結果などの履歴情報を取得することができ、これを表示部３３を用いて表示し得るようになっている。この表示部３３は、例えばトレイ２の前面壁部の上面部に配設されている。そして、トロリー装置３の収納ケース１６にトレイ２を装着した状態において、表示部３３の表示面を確認し得るように、表示部３３が露出した状態になる。
【００５４】
一方、上述したようにトレイ２は、別体の洗滌消毒装置８０（図２参照）の内部に設置されることで、医療器具の洗滌消毒用トレイとして使用することもできる。この場合において、洗滌消毒装置８０には、第２の給電部１５に相当する給電部と送信コイル及びデータ送信回路（特に図示せず）とを有して構成されている。洗滌消毒装置８０の給電部からトレイ２の第２の受電部３４へと電磁結合による非接触の給電が可能となっている。これにより、洗滌消毒装置８０の内部に設置されたトレイ２に対して電力が供給されるようになっている。
【００５５】
このとき、トレイ２のデータ受信回路６８は、受信コイル６７と洗滌消毒装置８０側の送信コイル（図示せず）を介して同洗滌消毒装置８０のデータ送信回路（図示せず）との間でデータ通信をおこなうようになっている。ここで、例えばトレイ２を用いて内視鏡８を洗滌消毒装置８０にて洗滌消毒した場合には、データ受信回路６８は内視鏡８の履歴情報を受信することになる。
【００５６】
データ復調回路６９は、データ用制御回路７０の制御に基づきデータ受信回路６８からの履歴情報を復調する。
【００５７】
データ用制御回路７０は、復調された履歴情報のメモリ回路７１への書き込み及び読み出しをおこなうようになっている。なお、メモリ回路７１に搭載されたフラッシュメモリは、第２の受電部３４からの電力供給が絶たれたとしても書き込まれた情報を保持するようになっている。
【００５８】
表示部３３は、データ用制御回路７０の制御に基づいて履歴情報を表示する。履歴情報としては、例えば正常に処理がなされたか否かの処理結果情報や処理の日時及び処理対象となった医療器具のＩＤ情報等である。
【００５９】
このように構成される本実施形態のトロリーシステム１において、医療器具として内視鏡８を使用する場合の作用を図１〜図３を参照しながら以下に説明する。
【００６０】
まず、図１の実線で示すように第１の給電部４とトロリー装置３とは所定の距離以上離れた状態になっているものとする。また、図３に示すようにトロリー装置３の内部には、内視鏡８を収めたトレイ２が収納ケース１６に装着されているものとする。これと共に、少なくとも１つの収納ケース１６は、トレイ２が未装着であるものとする。なお、図３においては、トロリー装置３の収納ケース１６は２つのみを示しており、他は図示を省略している。
【００６１】
第１の給電部４は、常に壁面２５のコンセントを介して商用電源に接続されている。そして、第１の給電部４の第１の接続検知回路４５は、第１の受電部１４の第１のマグネット５１と所定の距離以上離れており磁力を検知しない。そのため、第１の制御回路４６は、第１の接続検知回路４５の検知信号を受けて第１の高周波インバータ４４の出力を停止させている。したがって、整流平滑回路４３が商用電源を整流し平滑化した直流出力は、第１の高周波インバータ４４からは出力されない。つまり、第１の高周波インバータ４４以外は動作し、自動的にスタンバイ状態になっている。そのため、第１の１次コイル４２からの出力は無い状態となっている。
【００６２】
トロリー装置３の第１の受電部１４は、その第１の２次コイル５０が第１の受電部１４の第１の１次コイル４２との電磁的な結合が遮断されている。そのため、トロリー装置３の第１の受電部１４とトレイ２の第２の受電部３４には電力が供給されず、乾燥機１３は停止し殺菌灯３５も消灯している。また、動作確認ＬＥＤ１７も消灯しているので、使用者はトロリー装置３の扉１１を開ければ、トロリー装置３に電力が供給されていないことを知ることができる。
【００６３】
保管庫であるトロリー装置３は、扉１１を閉めた状態において、収納空間１０ｂ内及びトレイ２に収まった内視鏡８を埃などから防御し衛生的に保管する。
【００６４】
次に、キャスター１２によってトロリー装置３を移動させて、図１の２点鎖線及び図２に示すようにトロリー装置３の背面を第１の給電部４に近付ける。すると、トロリー装置３の第１の受電部１４は第１の給電部４に対して所定の距離まで近付いて、第１の接続検知回路４５は、第１のマグネット５１の磁力の作用を受ける。これにより、第１の接続検知回路４５は、第１の受電部１４と第１の給電部４との電磁結合が可能な状態であることを検知する。
【００６５】
第１の制御回路４６は、第１の接続検知回路４５からの検知信号を受けて第１の高周波インバータ４４の出力を許可する。第１の高周波インバータ４４は、整流平滑回路４３からの直流出力を高周波信号に変換して第１の１次コイル４２へ供給する。なお、第１の制御回路４６は、電磁結合の状態を常時監視しており、適正な接続状態にある限り、第１の高周波インバータ４４の出力を許可している。
【００６６】
第１の１次コイル４２から第１の受電部１４の第１の２次コイル５０へと高周波信号が伝達されて非接触方式による給電がなされる。その電力を受けて第１の受電部１４の内部の各回路が動作する。
【００６７】
さらに、第１の受電部１４において、第１の２次コイル５０からの高周波信号は、第１の定電圧回路５２に供給される。第１の定電圧回路５２は、高周波信号を平滑化し安定化する。インバータ回路５３は、第１の定電圧回路５２からの定電圧出力を規定の電圧に変換する。出力制御回路５５は、インバータ回路５３からの出力を負荷側である乾燥機１３と複数の第２の給電部１５へ出力する。
【００６８】
これにより、乾燥機１３が動作すると、トロリー装置３の収納空間１０ｂ内は除湿されて、雑菌などの繁殖が抑制される。そして、トレイ２に収納されている内視鏡８などの衛生状態が維持される。
【００６９】
また、インバータ回路５３に接続された動作判別回路５６も動作する。この動作によって収納ケース１６側に設けられる動作確認ＬＥＤ１７が点灯する。使用者は、動作確認ＬＥＤ１７の点灯を視認によって確認することで、トロリー装置３に適正な電力が給電されていることを識別することができる。
【００７０】
一方、トロリー装置３を移動させて壁面２５の第１の給電部４から所定の距離以上切り離す。すると、このとき第１のマグネット５１の磁力が無くなって、第１の給電部４の第１の接続検知回路４５は、電磁結合が遮断された状態を検知する。そして、第１の制御回路４６は、第１の接続検知回路４５の検知信号を受けて、第１の高周波インバータ４４の出力を停止させる。つまり、トロリー装置３が切り離された場合、壁面２５の第１の給電部４は、電力供給を停止する。以上のように、本トロリーシステム１は、第１の給電部４が自動的にスタンバイ状態となるため常に安全に使用することができる。
【００７１】
次に、第１の受電部１４の動作状態において、乾燥機１３などが例えば破損する等によって負荷側に過電流が流れると、第１の保護回路５４が動作して出力制御回路５５の出力を制御することになる。このため、出力制御回路５５は出力を遮断し、乾燥機１３，殺菌灯３５，表示部３３は停止状態となる。そして、出力の遮断によって第１の受電部１４内に過電流が流れることが防止され、よって回路の破損等を防ぐことができるようになる。
【００７２】
続いて、本実施形態のトロリーシステム１において、内視鏡８の洗滌消毒及び内視鏡検査に関する作用について以下に説明する。
【００７３】
第１の給電部４が壁面２５に設けられた場所、つまりトロリー装置３の保管場所と、洗滌消毒装置８０の設置場所とが異なるものとする。また、内視鏡検査のための検査室は、保管場所及び設置場所とは異なるものとする。
【００７４】
まず、洗滌消毒装置８０の設置場所において、内視鏡８の洗滌消毒が終了すると、洗滌消毒装置８０と、これに装着されたトレイ２との間においてデータ通信がなされる。その際、トレイ２の第２の受電部３４には、洗滌消毒装置８０の給電部から電磁結合による非接触の給電が行われている。
【００７５】
洗滌消毒装置８０のデータ送信回路は、送信コイル及び受信コイル６７を介してトレイ２のデータ受信回路６８へと履歴情報を送信する。トレイ２のデータ復調回路６９は、データ用制御回路７０の制御に基づいてデータ受信回路６８からの履歴情報を復調する。そして、データ用制御回路７０は、復調された履歴情報をメモリ回路７１へ書き込む。
【００７６】
次に、図３に示す符号Ａにおいて、内視鏡８が収納されたトレイ２を洗滌消毒装置８０から取り出す。取り出したトレイ２は、清浄な内視鏡８を収納した状態でトロリー装置３の保管場所まで運搬される。
【００７７】
続いて、トロリー装置３のトレイ載置部１８にトレイ２をセットする。このとき、トレイ２は、ラッピング収納部材２０及び規制部材２１によって動きが規制されるので、横ズレによる脱落が防止されている。
【００７８】
そして、ラッピング収納部材２０のラッピング開口部２０ａからロール状のラッピングペーパー２２を引き出して、トレイ２の開口部３２ａを覆うように包装する。これにより、トレイ２の収納部３２の内部は、塵埃などが入り込まないように防護される。
【００７９】
なお、これらの作業は必要に応じてトロリー装置３を移動して洗滌消毒装置８０の側に配置し、その場においておこなうようにしてもよい。
【００８０】
次に、トロリー装置３の保管場所において、トロリー装置３の第１の受電部１４と壁面２５の第１の給電部４とを接続する。これにより、第１の受電部１４に対して電力が供給される。この電力を受けて動作確認ＬＥＤ１７が点灯する。したがって、このとき使用者はトロリー装置３の扉１１を開けて動作確認ＬＥＤ１７の点灯状態を確認すれば、電力が適正に供給されていることを確認できる。
【００８１】
また、このとき乾燥機１３が動作しているので、トロリー装置３の収納空間１０ｂの内部は除湿され、雑菌などの繁殖が抑制される環境となっている。
【００８２】
そして、使用者は、ラッピングを施したトレイ２を収納ケース１６の空いている部位に装着する。次いで、扉１１を閉状態とすることで、トロリー装置３の収納空間１０ｂは密閉状態となる。したがって、ラップに覆われたトレイ２に収納されている洗滌消毒済みの内視鏡８は衛生的に保管される状態にある。
【００８３】
トレイ２が収納ケース１６に装着されると、トロリー装置３の第２の受電部３４が、トロリー装置３の第２の給電部１５と所定の距離を有して対向する。このとき、第２のマグネット６２の磁力が働いて第２の接続検知回路５９が電磁結合による給電が可能な状態を検知し、所定の検知信号を出力する。この検知信号を受けて第２の制御回路６０は、第２の高周波インバータ５７の出力を許可する。第２の高周波インバータ５７は、出力制御回路５５の出力を高周波信号に変換する。なお、第２の制御回路６０は、電磁結合の状態を常時監視しており、適正な接続状態にある限り、第２の高周波インバータ５７の出力を許可している。
【００８４】
そして、高周波信号を受けた第２の１次コイル５８と第２の２次コイル６１との電磁結合によって、第２の給電部１５から第２の受電部３４に対して非接触による電力が給電される。第２の２次コイル６１に発生した電力は、平滑回路６３及び第２の定電圧回路６４を介して負荷側であるＬＥＤ駆動回路６５及び表示部３３などに供給される。
【００８５】
ＬＥＤ駆動回路６５は、電力供給を受けてトレイ２に設置された複数の殺菌灯３５を点灯させる。そして、光触媒兼殺菌用の紫外線光がトレイ２の光触媒部３７に照射され、光触媒材による抗菌および防汚作用などが光触媒部３７に働く。この働きにより光触媒部３７が形成されたトレイ２の外部および収納部３２の内面は、汚れ難く衛生的に保持される。さらに、殺菌灯３５の紫外線によって細菌類の成長および増殖等が防止される。このため、トレイ２および内視鏡８は衛生状態が維持された状態で保管される。
【００８６】
また、第２の給電部１５において、第２の２次コイル６１を介して供給された電力は、表示部３３及びデータ用制御回路７０などに供給される。電力供給を受けて起動したデータ用制御回路７０は、メモリ回路７１に格納された前回の洗滌消毒結果などの履歴情報を読み出す。そして、表示部３３は、データ用制御回路７０がメモリ回路７１から読み出した履歴情報を表示する。使用者は、表示部３３に表示された履歴情報を視認することにより、トレイ２に収納されている内視鏡８の履歴情報、すなわち処理結果や処理の日時及び内視鏡の種類などを確認することができる。
【００８７】
ここで、第２の受電部３４の動作状態において、殺菌灯３５などが、例えば破損したり負荷側に過電流が流れると、第２の保護回路６６はそれを検知して、第２の定電圧回路６４の出力を遮断する。そして、この出力の遮断により、第２の受電部３４内に過電流が流れることが防止される。これにより回路の破損などを防ぐことができる。また、殺菌灯３５が消灯し、表示部３３も表示を停止する。
【００８８】
次に、図３に示す符号Ｂにおいて、内視鏡検査または手術などをおこなう際には、使用者は、トレイ２の表示部３３に表示された内視鏡８のＩＤ情報や洗滌消毒結果及び洗滌消毒日時などを確認する。そして、トロリー装置３内に保管されている複数の内視鏡等の医療器具のうち所望の内視鏡や医療器具を選択することができる。
【００８９】
使用者は、これから実行すべき検査などに応じて、トロリー装置３から洗滌消毒済みの内視鏡８が収納されたトレイ２を取り出す。トレイ２が取り外されると、第２の給電部１５と第２の受電部３４の接続が所定の距離以上に離間して、両者は遮断状態となる。すると、第２のマグネット６２の磁力が作用しなくなり、その旨を第２の接続検知回路５９が検知する。第２の制御回路６０は、第２の接続検知回路５９の検知信号を受けて第２の高周波インバータ５７からの出力を停止させる。すなわち、トロリー装置３の第２の給電部１５は、自動的にスタンバイ状態となり、トレイ２の第２の受電部３４への電力供給を遮断する。こうして、電力の供給を失った第２の受電部３４を有するトレイ２においては、複数の殺菌灯３５が消灯し、表示部３３もその表示を停止する。
【００９０】
そして、内視鏡８が収まったトレイ２は、ラップされた状態のまま検査室等へと運搬される。
【００９１】
図３に示す符号Ｃにおいて、所定の検査などが終了した後においては、使用済みの内視鏡８がトレイ２に収納されて、そのままトレイ２ごと洗滌消毒装置８０の設置場所へと運搬される。
【００９２】
使用者は使用済みの内視鏡８を収納したトレイ２を洗滌消毒装置８０の洗滌槽内に装着する。そして、洗滌消毒装置８０によって一連の洗滌消毒工程がおこなわれる。
【００９３】
洗滌消毒処理が終了すると、図３に示す符号Ａにおいて、洗滌消毒装置８０からトレイ２が取り出されて上述したのと同様にラッピング処理をおこなう。その後、使用者は、洗滌消毒処理によって清浄化された内視鏡８を収納したトレイ２をトロリー装置３の収納ケース１６に装着する。これにより、洗滌消毒処理済の内視鏡８はトロリー装置３によって衛生的に保管される。
【００９４】
以上説明したように上記一実施形態によれば、トロリー装置３をキャスター１２によって移動自在とし、所定電源に接続された第１の給電部４とトロリー装置３の第１の受電部１４とを近付けて対向させる。すると、第１の給電部４から電磁結合により第１の受電部１４へと非接触の電力が伝達され、トロリー装置３は所要の電力供給を受ける。この場合において、電力の供給先としては、具体的には第１の受電部１４の各回路や乾燥機１３やトレイ２などである。
【００９５】
そして、除湿手段である乾燥機１３は、電力の供給を受けてトロリー装置３の収納空間１０ｂの内部の除湿をおこなって、保管されている状態の医療器具の衛生状態を保持することができる。
【００９６】
さらに、トロリー装置３は、トロリー本体１０の内部に医療器具を保管すると共に、第１の受電部１４と第１の給電部４との間を容易に切り離すことができるので、キャスター１２によって移動自在に構成されている。したがって、トロリー装置３の移動は、医療器具等をトロリー装置３に保管した状態でおこなうことができる。つまりトロリー装置３から医療器具等を取り出すことなく医療器具等の運搬をおこなうことができる。また、トロリー装置３は電源コード等を不要とするために、電源コードを有する従来の装置のように、移動させる都度電源コードを挿抜する作業が必要無くなる。これにより、装置を移動させるのも容易になる。
【００９７】
さらに、トロリー装置３のトロリー本体１０に設けられる収納ケース１６に対してトレイ２を装着すると、第１の給電部４からの電力を受けている第２の給電部１５に対して第２の受電部３４が近付いて対向する。これにより、第２の給電部１５から第２の受電部３４へと電力が非接触によって伝達され、トレイ２は所要の電力供給を受ける。その電力は、トレイ２の殺菌手段であるＵＶ−ＬＥＤ等の殺菌灯３５へも供給され、当該殺菌灯３５が点灯して紫外線を発することになる。この紫外線によってトレイ２の収納部３２に収納されている医療器具等の殺菌がおこなわれ、例えば次の使用時まで医療器具等を衛生的な環境下で保管することができる。
【００９８】
また、第２の受電部３４を備えたトレイ２は、トロリー装置３の第２の給電部１５との間を切り離し得るようにしたので、トロリー装置３のトロリー本体１０に対して着脱自在に構成されている。したがって、トレイ２は、収納した医療器具等をトロリー装置３によって保管することができ、例えば検査などの必要に応じてトロリー装置３からトレイ２を取り出すのみで検査室など所望の場所への運搬時にも、当該医療器具を衛生的かつ容易に運搬できる。
【００９９】
さらに、使用済みの医療器具をトレイ２の収納部３２に収納した状態で運搬できるため、液だれしたり手を汚すようなことがない。このため、洗滌消毒装置８０を操作するのに際しても、装置自体を汚してしまうことがなくなり衛生的である。
【０１００】
また、洗滌消毒後、洗浄済みの医療器具を収納したトレイ２をトロリー装置３に戻すのみで、再びトレイ２の殺菌灯３５などへの電力が供給されることになるので、医療器具を衛生的に保管できる。
【０１０１】
このように、本実施形態のトロリーシステム１は、トレイ２による医療器具の運搬と、トロリー装置３及びトレイ２を用いた医療器具の保管とを衛生的に実施することができる。さらに、洗滌消毒処理や検査等の使用形態に合わせて効率的な医療器具の運用及び管理をおこなうことが容易にできる。
【０１０２】
また、トロリー装置３の複数の収納ケース１６には、それぞれトレイ２を装着して複数の医療器具を同時に保管できる。そして、複数のトレイ２に保管された各医療器具は、それぞれのトレイ２によって別の場所に運搬することができ、各所定の作業を個々におこなうことができるので、効率的に医療器具の運用を実施できる。
【０１０３】
さらに、電力供給が可能な状態にあることを接続検知回路５９が検知することで、その検知信号を受けた制御回路６０の制御によって給電部からの出力がなされ、受電部に非接触の電力供給が行なわれるようにしている。
【０１０４】
これに対して、接続検知回路５９が遮断状態にあることを検知すると、制御回路６０は給電部からの出力を停止させる制御をおこなうようにしている。この制御によって、受電部が存在しない状態において不用意に給電動作がおこなわれるようなことがない。
【０１０５】
さらに、トレイ２をトロリー装置３の上面部に載置して、ラッピング収納部材２０のラッピング開口部２０ａからラッピングペーパー２２を取り出し、このラッピングペーパー２２によってトレイ２の開口部３２ａを覆うことができるようにしている。このラッピング処理によって、トレイ２の開口部３２ａからの雑菌及び塵埃等の混入を防止することができる。そして、トレイ２による医療器具の運搬中及び保管中において、医療器具の衛生状態を良好に保つことができる。
【０１０６】
次に、本発明の一実施形態のトロリーシステムの変形例について説明する。
【０１０７】
図４は、上述の一実施形態のトロリーシステムの変形例を示すブロック構成図である。
【０１０８】
本変形例の基本的な構成は、上述の一実施形態と略同様である。したがって、上述の一実施形態と同様の構成については同じ符号を付してその説明を省略し、異なる構成についてのみ以下に説明する。
【０１０９】
本変形例のトロリーシステム１Ａにおいては、上述の一実施形態の構成に加えて、トロリー装置３の第１の受電部１４及びトレイ２の第２の受電部３４の内部において、それぞれに充電可能な第１の２次電池９１及び第２の２次電池１０１を設けて構成している。
【０１１０】
図４に示すように、本変形例における第１の受電部１４は、上述の一実施形態における第１の定電圧回路５２及び動作判別回路５６に代えて、第１の定電圧回路９２及び出力切り換え手段としての第１の動作判別回路９３を有している。
【０１１１】
第１の受電部１４の第１の定電圧回路９２には、充電可能な第１の２次電池９１が接続されている。第１の２次電池９１は、第１の受電部１４に内蔵された充電回路（特に図示せず）によって充電可能に構成されている。また、第１の動作判別回路９３は、第１の受電部１４の動作状態を判別している。
【０１１２】
第１の受電部１４に適正な電力が給電されている場合には、第１の定電圧回路９２は、上述の一実施形態の第１の定電圧回路５２と同様に動作する。これに対して、第１の受電部１４における接続が遮断され、第１の動作判別回路９３が出力の停止を検知すると第１の定電圧回路９２の出力を第１の２次電池９１に切り換える制御がなされる。第１の動作判別回路９３の他の動作は、上述の一実施形態における動作判別回路５６と同様である。
【０１１３】
また、本変形例における第２の受電部３４は、上述の一実施形態の平滑回路６３に代えて、平滑回路１０２を有している。また、第２の受電部３４は、出力切り換え手段としての第２の動作判別回路１０３を加えて構成している。
【０１１４】
第２の受電部３４の平滑回路１０２には、充電可能な第２の２次電池１０１が接続されている。第２の２次電池１０１は、第２の受電部３４に内蔵された充電回路（特に図示せず）によりって電可能に構成されている。また、第２の動作判別回路１０３は、第２の定電圧回路６４の出力を監視し、第２の受電部３４の動作状態を判別している。
【０１１５】
第２の受電部３４に適正な電力が給電されている場合には、平滑回路１０２は、上述の一実施形態の平滑回路６３と同様に動作する。これに対して、第１の受電部１４または第２の受電部３４における接続が遮断され、第２の動作判別回路１０３が出力の停止を検知すると平滑回路１０２の出力を第２の２次電池１０１に切り換える制御がなされる。
【０１１６】
その他の構成は、上述の一実施形態と略同様である。
【０１１７】
以上の構成により、各給電部と受電部との接続が遮断されても、第１の２次電池９１及び第２の２次電池１０１からの電力が供給されるように切り換え制御がなされるので、一時的に内部の回路を駆動させ得ることができるようになっている。
【０１１８】
したがって、例えば内視鏡８の運搬のためにトロリー装置３を第１の給電部４から切り離しての移動中にも、トロリー装置３の乾燥機１３及びトレイ２に対して電力を供給することができるようになる。
【０１１９】
換言すれば、トロリー装置３を第１の給電部４から切り離すと、インバータ回路５３の出力を監視している第１の動作判別回路９３は遮断状態であることを判別する。そして、第１の動作判別回路９３は、第１の定電圧回路９２の出力を第１の２次電池９１に切り換える制御をおこなう。これにより、第１の２次電池９１の電力は、第１の定電圧回路９２，インバータ回路５３及び出力制御回路５５を介して乾燥機１３及びトレイ２の第２の給電部１５へと供給されることなる。さらに、第２の受電部３４は、第２の給電部１５からの電力を受けるので、殺菌用の殺菌灯３５を持続的に点灯させることができるようになる。
【０１２０】
また、トレイ２をトロリー装置３から取り外すと、第２の定電圧回路６４の出力を監視している第２の動作判別回路１０３は、遮断状態に変化したことを判別する。そして、第２の動作判別回路１０３は、平滑回路１０２の出力を第２の２次電池１０１に切り換える制御をおこなう。
【０１２１】
これにより、第２の２次電池１０１からの電力は、平滑回路１０２及び第２の定電圧回路６４を介してＬＥＤ駆動回路６５へと供給される。そして、ＬＥＤ駆動回路６５が殺菌用の殺菌灯３５を持続的に点灯させる。さらに、第２の２次電池１０１からの電力は、表示部３３及びデータ用制御回路７０などにも供給される。そして、表示部３３は医療器具の履歴情報を表示し続けることになる。
【０１２２】
このようにして、使用者がトロリー装置３からトレイ２を取り出してたとしても、取り出したトレイ２に収納されている内視鏡８がいつ洗滌消毒されたか等の履歴情報をいつでも確認することができるできる。したがって、洗滌消毒処理の履歴管理を確実におこなうことができる。
【０１２３】
以上説明したように本変形例によれば、上述の第１の実施形態と同様の効果を得ることができる。
【０１２４】
これに加えて、本変形例では、第１の受電部１４または第２の受電部３４からの出力がなくとも、第１の動作判別回路９３または第２の動作判別回路１０３が第１の２次電池９１または第２の２次電池１０１の出力に切り換える制御をおこなう。これによって、トロリー装置３及びトレイ２に対して所要の電力を常に供給することができる。したがって、トロリー装置３を第１の給電部４から切り離した状態としたとき、例えばトロリー装置３の移動中においても、トレイ２や乾燥機１３への電力供給をおこなうことができる。また、例えばトレイ２の運搬中においても、トレイ２の殺菌灯３５や表示部３３への電力を確保できるため、常に殺菌状態を維持でき、また履歴情報を確認できる。
【０１２５】
運搬中の医療器具に関する履歴情報を、表示部３３に常に表示させることができるので、医療器具の種類や洗滌消毒の完了日時などの履歴情報をいつでも確認することができる。したがって、トロリー装置３から取り外された状態の複数のトレイ２が、例えば検査室内等に同時に存在する場合にも、各トレイ２の内部に収納された医療器具の管理を容易におこなうことができる。
【０１２６】
なお、本発明は、以前述べた実施形態のみに限定されるものではなく、発明の要旨を逸脱しない範囲で種々変形実施可能である。
【図面の簡単な説明】
【０１２７】
【図１】本発明の一実施形態の医療器具保管装置（トロリーシステム）の全体構成を示す外観斜視図。
【図２】図１の医療器具保管装置（トロリーシステム）の内部構成の主に電気的な構成を示すブロック構成図。
【図３】図１の医療器具保管装置（トロリーシステム）の作用を説明する図。
【図４】本発明の一実施形態のトロリーシステムの変形例を示すブロック構成図。
【符号の説明】
【０１２８】
１……医療器具保管装置（トロリーシステム）
２……トレイ
３……トロリー装置
４……第１の給電部
８……内視鏡
１０……トロリー本体
１０ａ……開口部
１０ｂ……収納空間
１２……キャスター
１３……乾燥機
１４……第１の受電部
１５……第２の給電部
１６……収納ケース
１８……トレイ載置部
１９……ラッピング補助機構
２０……ラッピング収納部材
２０ａ……ラッピング開口部
２１……規制部材
２２……ラッピングペーパー
２５……壁面
３１……ケース本体
３２……収納部
３２ａ……開口部
３３……表示部
３４……第２の受電部
３５……殺菌灯
４２……第１の１次コイル
５０……第１の２次コイル
５８……第２の１次コイル
６１……第２の２次コイル
８０……洗滌消毒装置
９１……第１の２次電池
１０１……第２の２次電池
【図１】
0004756941.tif 000002
【図２】
0004756941.tif 000003
【図３】
0004756941.tif 000004
【図４】
0004756941.tif 000005